(57)【特許請求の範囲】
【請求項１】
施工面に露設される器体と、該器体内部に配設され、施工面側から導入される電源線を接続する少なくとも一対の速結端子、および上記一対の速結端子に電気的に接続され、施工面側から導入される送り配線用電源線を接続する別の一対の速結端子からなる端子部と、引掛キャップの一対の引掛栓刃に対応するように上記器体下面に開口した一対のほぼ円弧状の引掛栓刃挿入口と、該各引掛栓刃挿入口に対応して上記器体内に設けられるとともに上記速結端子に各別に電気的に接続され、上記各引掛栓刃挿入口の一端から挿入された上記各引掛栓刃の他端方向への移動時に当該引掛栓刃を引掛保持する一対の引掛栓刃受部と、上記器体内に設けられる一対のＵプラグ用栓刃受部と、該一対のＵプラグ用栓刃受部に対応するように上記器体下面に開口したＵプラグの栓刃挿入口と、上記器体の下端外周部に全周に亘って突出形成した鍔状突起から構成され、照明器具の上面に開口した係合穴に上記器体を挿入したときに上記係合穴内の被係止部と係合して上記照明器具の下向き荷重を受ける係止部とを有し、上記Ｕプラグ用栓刃受部と、上記引掛栓刃受部とを一体的に形成するとともに、上記速結端子が、一対の端子板と、各端子板に対向する接触片および鎖錠片を備え、接触片および鎖錠片と各端子板との間にそれぞれ電源線を狭持する一対の鎖錠ばねとを備えて成ることを特徴とする引掛シーリング。
【請求項２】
前記一対の鎖錠片に当接する一対の押圧片を備えるとともに押されると鎖錠片を端子板から引き離す方向に撓ませる解除釦を備えることを特徴とする請求項１記載の引掛シーリング。
【請求項３】
少なくとも上記端子部の上部には端子カバーが被着され、端子カバーには内部の各速結端子に対応する電線挿入孔を開口するとともに、上記解除釦を押し動かすための治具挿入口を開口して成ることを特徴とする請求項２記載の引掛シーリング。
【発明の詳細な説明】
【０００１】
【発明の属する技術分野】
本発明は、引掛栓刃を接続可能な引掛シーリングに関するものである。
【０００２】
【従来の技術】
従来より、天井面等の施工面に取り付けられるとともに、照明器具に設けた引掛栓刃を接続する引掛栓刃受部を備える引掛シーリングが提供されている。
【０００３】
ところで、近年では天井面付近に配置した形で取り付けられる照明器具が提供されており、この種の照明器具は洋室、和室にかかわらず違和感なく使用することができるデザインを得やすく、使用者自身で取付、交換が可能であり、また昆虫の入りにくい構造を容易に実現できるなどの利点を有している。
【０００４】
この種の照明器具を引掛シーリングに取り付ける構造も各種提案されており、もっとも簡単な構造としては、引掛シーリングの引掛栓刃受部に接続される引掛栓刃を照明器具に設け、引掛栓刃と引掛栓刃受部との結合のみによって引掛シーリングと照明器具との機械的結合を行なうものがある。
【０００５】
しかしながら、この構成では、引掛シーリングと照明器具との機械的な結合箇所が引掛シーリングの中心付近の２箇所のみになり、大型の照明器具ではぐらつきやすく十分に固定することができないという問題がある。また、引掛栓刃受部だけで照明器具の荷重を支えることになるから、重量が比較的大きな照明器具には適用することができない。重量が比較的小さい場合でも、照明器具の重量を引掛栓刃受部のみで支持していると、経年的には引掛栓刃受部に変形を生じることがあり、接触不良につながることがある。
【０００６】
これに対して、特開平７−３７４１７号公報に記載された図２６、図２７に示す構成では、引掛シーリング１と照明器具２との間にアダプタ３を設けてある。つまり、この構成では、図２７のように、アダプタ３に突設した引掛栓刃４を引掛シーリング１に機械的および電気的に結合し、アダプタ３を照明器具２の中央部に開口した係合穴２ａ内に嵌めて、アダプタ３の外周面に形成した係止凹部５に対して、照明器具２の中央部に開口した係合穴２ａ内にバネなどで付勢され出没自在となった係止爪９ａを係合させている。照明器具２と引掛シーリング１との電気的な接続は、アダプタ３に設けた接続線７のコネクタ７ａを照明器具２側の被接続コネクタ２ｂに接続して行なわれる。したがって、照明器具２をアダプタ３の外周に結合することで照明器具２の固定箇所の面積を広げて照明器具２のぐらつきを防止することができる。
【０００７】
しかしながら、この構成においても照明器具２の荷重は引掛シーリング１の引掛栓刃受部によってのみ支持されており、電気用品取締法によれば５ｋｇを超える荷重が電気的接続部に加わらないようにしなければならないから、重量が比較的大きい照明器具２には適用することができない。また、引掛栓刃受部の経年的変化のおそれもある。しかも、アダプダ３を引掛シーリング１に取り付ける作業が必要になるから、取付作業には手間がかかるものである。さらに、引掛シーリング１と照明器具２との間には、引掛シーリング１とアダプタ３との結合およびアダプタ３と照明器具２との結合の２箇所の結合箇所があるから、２箇所のうちの一方でも結合状態が不完全であると照明器具２の落下のおそれが生じ、安全性の確保にはアダプタ３を設けない場合に比較してより一層の注意が必要になる。また、製品としてはアダプタ３を照明器具２に同梱して販売しなければならないから、照明器具２の販売価格が上昇することになる。加えて、引掛シーリング１と照明器具２との間にアダプタ３が存在することにより、天井面からの照明器具２の突出寸法が大きくなる。とくに、直管形ランプを用いた照明器具２ではランプをアダプタ３と同じ面内に配置することができないから、照明器具２の天井面からの突出寸法を小さくすることが困難である。
【０００８】
重量の比較的大きい照明器具に適用することができる引掛シーリング１としては、取付金具により照明器具の荷重を受けるものが特開平６−２６７３２２号公報などに記載されている。この構成では引掛シーリングに設けた取付金具に対して、照明器具に設けた係止爪部を係合させるものであって、照明器具が引掛シーリングの周部で結合されることによって照明器具をぐらつくことなく支持することができ、しかも、照明器具の荷重を取付金具で受けるから重量が比較的大きい照明器具にも適用することが可能になる。また、この構成ではアダプタが不要であるから、取付作業の手間は少ない。
【０００９】
【発明が解決しようとする課題】
しかしながら、上記構成では引掛シーリング１に取付金具８を設けなければ重量の大きい照明器具を取り付けることができないから、引掛シーリング１の部品コストが増加することになる。
【００１０】
本発明は上記事由に鑑みて為されたものであり、その目的は、重量が比較的大きい照明器具を取り付けることができるようにしながらも、部品点数の増加がない引掛シーリングを提供することにある。
【００１１】
【課題を解決するための手段】
上記目的を達成するために、請求項１の発明では、施工面に露設される器体と、該器体内部に配設され、施工面側から導入される電源線を接続する少なくとも一対の速結端子、および上記一対の速結端子に電気的に接続され、施工面側から導入される送り配線用電源線を接続する別の一対の速結端子からなる端子部と、引掛キャップの一対の引掛栓刃に対応するように上記器体下面に開口した一対のほぼ円弧状の引掛栓刃挿入口と、該各引掛栓刃挿入口に対応して上記器体内に設けられるとともに上記速結端子に各別に電気的に接続され、上記各引掛栓刃挿入口の一端から挿入された上記各引掛栓刃の他端方向への移動時に当該引掛栓刃を引掛保持する一対の引掛栓刃受部と、上記器体内に設けられる一対のＵプラグ用栓刃受部と、該一対のＵプラグ用栓刃受部に対応するように上記器体下面に開口したＵプラグの栓刃挿入口と、上記器体の下端外周部に全周に亘って突出形成した鍔状突起から構成され、照明器具の上面に開口した係合穴に上記器体を挿入したときに上記係合穴内の被係止部と係合して上記照明器具の下向き荷重を受ける係止部とを有し、上記Ｕプラグ用栓刃受部と、上記引掛栓刃受部とを一体的に形成するとともに、上記速結端子が、一対の端子板と、各端子板に対向する接触片および鎖錠片を備え、接触片および鎖錠片と各端子板との間にそれぞれ電源線を狭持する一対の鎖錠ばねとを備えて成ることを特徴とする。
請求項２の発明では、請求項１の発明において、前記一対の鎖錠片に当接する一対の押圧片を備えるとともに押されると鎖錠片を端子板から引き離す方向に撓ませる解除釦を備えることを特徴とする。
請求項３の発明では、請求項２の発明において、少なくとも上記端子部の上部には端子カバーが被着され、端子カバーには内部の各速結端子に対応する電線挿入孔を開口するとともに、上記解除釦を押し動かすための治具挿入口を開口して成ることを特徴とする。
【００２０】
【発明の実施の形態】
（基本例１）
図１乃至図９は施工面としての天井面Ｘに器体１の上面を当接させた形で設置される本基本例の引掛シーリング１を示している。引掛シーリング１は、上面が開口した有底円筒状の器体１１と、器体１１の上面側から器体１１内に挿入される矩形状の端子カバー１２とを備え、器体１１と端子カバー１２とは、打込鋲１３により結合される。器体１１およびカバー１２は熱硬化性樹脂であるメラミンフェノール樹脂ないしポリエステル樹脂の成形品であって難燃性を有している。
【００２１】
器体１１の底壁内側面には図２のように一対の立壁１４が突設され、立壁１４の上に端子カバー１２を載置した状態で端子カバー１２を通して打込鋲１３を立壁１４の穴１４ａに打込むことにより器体１１と端子カバー１２とが結合される。ここで、両立壁１４の上に端子カバー１２を載置したときに、器体１１の上面よりも端子カバー１２の上面のほうが下方に位置するように、器体１１と端子カバー１２と立壁１４との寸法関係が設定されている（図４参照）。
【００２２】
器体１１の周壁内周面の２箇所には筒部１１ａが形成され、筒部１１ａには器体１の上下に貫通する挿通孔１５が形成されている。挿通孔１５には器体１の下面側から固定ねじ（図示せず）が挿入され、この固定ねじの上端部を天井面Ｘに螺入することによって、器体１を天井面に固定することができる。
【００２３】
器体１１の内部は器体１１の底壁内側面に突設された仕切壁１６により２分され、端子収納室１７が２室形成されている。仕切壁１６は器体１１の内部を２分する分離片１６ａを備え、仕切壁１６の一端部には支持リブ１６ｂが両側方に突設され、他端部には支持リブ１６ｂに対応した受け片１６ｃが両側方に突設される。さらに、器体１１の底壁内側面には支持リブ１６ｂに対して分離片１６ａの反対側に突台１８が突設されている。突台１８は、分離片１６ａに対向する中央台１８ａと、中央台１８ａの両側に延設され水平断面Ｌ字状であって先端部が分離片１６ａ側に延長されたガイドリブ１８ｂとを連続一体に備える。各突台１８の一方のガイドリブ１８ｂはそれぞれボス１４に連続している。また、中央台１８ａはガイドリブ１８ｂよりも高さ寸法が大きくなっている。ガイドリブ１８ｂは受け片１６ｃと高さ寸法がほぼ等しく、立壁１４とともに端子カバー１２を支持する。したがって、端子カバー１２は多箇所で支持され、ぐらつかないように固定される。
【００２４】
各端子収納室１７に対応する部位において器体１１の底壁の周部には図１０に示す引掛キャップ４０の引掛栓刃４１、４１が挿入されるほぼ円弧状の引掛栓刃挿入口１９、１９がそれぞれ１個ずつ開口する。両引掛栓刃挿入口１９は器体１１の底壁の中心を中心とする同一円周上に対称的に形成され形成されている。引掛栓刃挿入口１９、１９は図５（ａ）における器体１１の中心から見たときの左端部に他の部位よりも幅の広い幅広部１９ａを備える。幅広部１９ａは他の部位である幅狭部１９ｂに対して内向きに突出する形で引掛栓刃挿入口１９の幅を広げている。先端部がＬ字状である引掛栓刃４１を引掛栓刃挿入口１９に挿入するには、引掛栓刃４１を幅広部１９ａから引掛栓刃挿入口１９に挿入した後に図５（ａ）における右回りに回転させ、引掛栓刃４１の先端部を引掛栓刃挿入口１９の幅狭部１９ｂの周縁に重複させる。引掛栓刃挿入口１９の幅狭部１９ｂには端子金具２０に電気的に接続された引掛栓刃受部２２が対応して設けられており、引掛栓刃４１の先端部が幅狭部１９ｂに導入されると、引掛栓刃４１の先端部が引掛栓刃受部２２に引掛保持される。
【００２５】
端子金具２０は板金により形成されたものであり、器体１１の底壁内側面に立設された形で配置される端子板２０ａと、端子板２０ａから一体に延長形成された引掛栓刃受部２２とを備える。引掛栓刃受部２２は刃受板２２ａよりなり、刃受板２２ａは引掛栓刃挿入口１９に沿って配置される。また、刃受板２２ａの上記一端部において引掛栓刃挿入口１９の幅広部１９ａに臨む先部は引掛栓刃４１が刃受板２２ａ上に乗り上げ易くするために先端側から登り傾斜面となっている。またこの先端部より延長される部位は器体１１の底面との間で隙間があり、引掛栓刃４１の先端部と、引掛キャップ４０のボディとの間に刃受板２２ａと器体１１の底壁とが介在する際に刃受板２２ａの上向きばね弾性に抗しながら引掛栓刃４１の先端部が刃受板２２ａに弾接するようになっている。
【００２６】
尚基本例では引掛栓刃受部２２を一枚の刃受板２２ａで形成しているが、２枚の刃受板を重ねて形成して、引掛栓刃４１を先端部より両刃受板間に導入するようにしてもよい。
【００２７】
端子金具２０における端子板２０ａは分離片１６ａおよび支持リブ１６ｂに当接し、更に端子板２０ａの一部が器体１１の底壁内側面に立設された止めリブ１６ｄに当接することによって、端子金具２０が器体１１内の定位置に固定される。また、受け片１６ｃと端子板２０ａとの間には鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子板２０ａに対向するように配置される。
【００２８】
しかして、天井面Ｘからの電源線Ｌ（図６参照）を器体１１に導入するために端子カバー１２に形成した電線挿入口３３を通して鎖錠片３２ｂ側から電源線Ｌを導入すれば、接触片３２ａおよび鎖錠片３２ｂと端子板２０ａとの間に電源線Ｌの芯線を挟持することができ、このとき接触片３２ａが電源線Ｌの芯線に接触して電気的接続状態を確保し、鎖錠片３２ｂの先端縁が電源線Ｌの芯線に食い込んで電源線Ｌを抜けないように保持する。上述のように電源線Ｌを接続する端子部は、端子板２０ａと鎖錠ばね３２を用いたいわゆる速結端子構造を有している。
【００２９】
ところで、端子板２０ａと鎖錠ばね３２とを用いて保持した電源線Ｌを取り外すために、器体１１内には解除釦３１が配置される。解除釦３１は突台１８の内側面に沿って仕切壁１６の長手方向に摺動可能となるように配置される。解除釦３１は端子カバー１２に設けた切欠よりなる操作用開口部１２ｂと突台１８の中央台１８ａとの間に露出する操作部３１ａを備え、鎖錠片３２ｂの一部に当接する一対の押圧片３１ｂを備える。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子板２０の端子板２０ａに設けた挿入用切欠２０ｂを通して進退する。
【００３０】
しかして、電源線Ｌを保持されている状態で、操作用開口部１２ｂと中央台１８ａとに囲まれた部位にマイナスドライバ等の治具の先端部などを挿入し、操作部３１ａを押せば、押圧片３１ｂが鎖錠ばね３２の鎖錠片３２ｂを端子板２０ａから引き離す向きに撓ませるから、鎖錠片３２ｂが電源線Ｌから外れ、電源線Ｌをそのまま引き抜くことができる。
【００３１】
ここで、解除釦３１は両端子板２０に跨がる形で配置されており、異極の２個の鎖錠ばね３２の鎖錠片３２ｂを同時に撓ませるから、電源側の２本の電源線Ｌを同時に外すことが可能であり、操作性がよい。
【００３２】
本基本例における引掛シーリング１は、図６に示すように、天井面Ｘに器体１１の上面を当接させた形で挿入孔１５を通して天井面Ｘに螺入する固定ねじ（図示せず）を用いて固定されるのであって、天井面Ｘに電源線Ｌを通すための通し孔Ｈを形成するだけで容易に施工設置することができる。
【００３３】
ところで、器体１１の周壁外周面の下端部には係止部を構成する鍔状突起１０が全周に亘って突設される。器体１１の上部外周面および鍔状突起１０の水平断面は円形であって、器体１１は、直径φ（図５（ｃ）参照）が６５ｍｍ以下、高さｈが２３ｍｍ以下の円柱の範囲内に収まるように形成されている。本基本例では器体１１の最大径は鍔状突起１０の外径になるから、鍔部１０の外径を６５ｍｍ以下とする。
【００３４】
上述のように構成された引掛シーリング１に照明器具を取り付けるには、図７乃至図９に示すように、照明器具２の中央部に設けた設けられた取り付け具４２に形成された上下貫通の係合穴４３の対向内壁より係合穴４３内に出没自在に設けたスライド部材９の係止爪９ａを鍔状突起１０の上面に係止する。ここに、スライド部材９は鍔状突起１０の上に係止される位置と鍔状突起１０から外れる位置との間で引掛シーリング１の直径方向に移動自在である係止爪９ａと、係止爪９ａを鍔状突起１０の上に係止される位置に付勢する復帰ばね９ｂと、スライド部材９を復帰ばね９ｂの復帰に抗して係止爪９ａを取り付け具４２内へ後退させるための手動操作部９ｃとを備える。したがって、係止爪９ａを鍔状突起１０に係止させることにより、この部位で照明器具２の下向き荷重が受け止められて引掛シーリング１に対して機械的に保持されることになる。ここで、鍔状突起１０の上下方向の厚み寸法ｔ（図５（ｃ）参照）は３ｍｍ以上に設定されており、器体１１を上述の熱硬化性合成樹脂により形成するとともに、上記寸法に形成することによって、１０ｋｇ程度の荷重でも支持することが可能になる。上記係止爪９ａと鍔状突起１０との係止状態を外す場合には取り付け具４２の下面開口より臨む手動操作部９ｃを手で復帰ばね９ｂに抗するように押して取り付け具４２内へ係止爪９ａを後退させ、係止爪９ａと鍔状突起１０との係止状態を解除すればよい。
【００３５】
上述した構成によって、照明器具２の荷重を電気的接続部である引掛栓刃受部２２のみで受けるのではなく、器体１１に形成した鍔状突起１０でも受けるから、電気用品法に規定された電気的接続部に５ｋｇ以上の荷重が加わらないようにするという条件を満たしながらも、５ｋｇ以上の重量の照明器具２を取り付けることが可能になるのである。また、照明器具２との機械的結合部分が引掛栓刃受部２２のみではなく引掛シーリング１の周部にも機械的結合部を設けることになるから、照明器具２を固定する強度が大きくなり、照明器具２をぐらつかないように固定することができる。
【００３６】
尚図５（ｃ）中５１は電源線Ｌのストリップゲージである。また図９中４３は環状の蛍光ランプで、照明器具２の下面に設けられたランプソケット４４に電気的に接続されるとともに、支持ばね４５とで保持される。また４６がセードで、照明器具２の下面に被着される。照明器具２には点灯装置（図示せず）に接続された接続コード４７が導出され、この接続コード４７の先部に図１０に示す引掛キャップ４０が設けられており、この引掛キャップ４０を本基本例の引掛シーリング１に接続すれば照明器具２への電源供給が行える。
【００３７】
引掛キャップ４０は図１０に示すように一面に一対の引掛栓刃４１、４１を突出し、引掛栓刃４１，４１と一体に設けた端子金具４９に、他面に開口したコード導入口５０より内部に導入した接続コード４７を接続してある。
【００３８】
（基本例２）
本基本例は、図１１乃至図１７に示すように、基本例１における端子に送り配線用の接続部を付加したものである。基本的な構成は基本例１と同様であるから、基本例１と共通する構成については説明を省略し、以下では主な相違点についてのみ説明する。なお図中において基本例１と同じ部材には同符号を付してある。
【００３９】
本基本例では、端子カバー１２２がほぼ円板状であって、タッピンねじである組立ねじ１３２により器体１１２に結合される。端子カバー１２２の周部の２箇所には切欠１２２ａが形成され、器体１１２の周部内側面に設けた筒部１１２ａに切欠１２２ａが嵌合することによって器体１１２と端子カバー１２２とが位置決めされるようになっている。
【００４０】
器体１１２の内部を２分するように器体１１２の底壁内側面に突設された仕切壁１６２は、分離片１６２ａの長手方向の中央部に受け片１６２ｃを有し、分離片１６２ｃの両端部にそれぞれ支持リブ１６２ｂを備えている。
【００４１】
本基本例で用いる各端子金具２０２は、それぞれ支持リブ１６２ｂに当接する一対の端子板２０２ａと、両端子板２０２ａを連結する連結片２０２ｃとによりコ字状に形成されている。また、連結片２０２ｃの下縁には器体１１２の底壁内側面に沿って配置されるかしめ片２０２ｄが突設される。
【００４２】
連結片２０２ｃは分離片１６２ａの各側面に設けた受け片１６２ｃの先端面に当接するように配置され、分離片１６２ａから一定の距離に保たれる。また、端子板２０２ａは器体１１２の底壁内側面に突設された止めリブ１６２ｄにも当接する。さらに、端子板２０２ａは分離片１６２ａに当接するとともに分離片１６２ａの長手方向の両端部に設けた支持リブ１６２ｂにも当接する。したがって、分離片１６２ａ、支持リブ１６２ｂ、受け片１６２ｃ、止めリブ１６２ｄのより端子金具２０２が器体１１２内の定位置に固定されることになる。端子金具２０２に一体的に設けられる引掛栓刃受部２２２の構造は基本例１と同様であって、刃受板２２２ａにより形成される。勿論２枚の刃受板を重ねて引掛栓刃４１を挟み込む形のものでもよい。
【００４３】
端子板２０２における各端子板２０２ａは、受け片１６２ｃに対して所定距離を隔てて対向しており、受け片１６２ｃと端子板２０２ａとの間に鎖錠ばね３２が配設される。この構成によって、同じ端子板２０２ａに対応するように設けた一対の鎖錠ばね３２は受け片１６２ｃを背にして互いに逆向きにばね力を作用させることになる。
【００４４】
器体１１２には分離片１６２ａを介して一対の端子板２０２ａが配置され、各端子板２０２ａには一対の端子板２０２ａが設けられているから、鎖錠ばね３２は４個設けられ、電線挿入口３３２も４個設けられることになる。ただし、同じ端子金具２０２に設けた２個の端子板２０２ａは連結片２０２ｃを介して電気的に接続されているから、図１４において上下に並ぶ電線挿入口３３２の一方を用いて電源側からの電源線を鎖錠ばね３２とで接続し、他方の電線挿入口３３２を用いて接続される送り配線用の電源線を用いて他の引掛シーリングなどへの送り配線が可能になる。たとえば、複数個の引掛シーリングを並設する場合には、何れかの引掛シーリングに電源からの電源線Ｌを接続し、隣接する各一対の引掛シーリング間で送り配線を行なえば、複数個の引掛シーリングを並列接続することができる。図１６はこのような接続状態を示しており、図１６における２本の電源線Ｌのうちの一方は電源側、他方は送り配線側を示す。
【００４５】
解除釦３１は分離片１６２ａを介して隣接する一対の鎖錠ばね３２を一括して操作するように配置され、本基本例では二対の鎖錠ばね３２を設けているから、２個の解除釦３１が配置される。各解除釦３１の押圧片３１ｂは、端子板２０２に設けた挿入用切欠２０２ｂに通される。また、端子カバー１２は器体１１の上面側の開口をほぼ全面に亘って覆うものであり、直径方向の両端部に操作用開口部１２２ｂがそれぞれ形成されている。他の構成および動作は基本例１と同様であって、本基本例においても鍔状突起１０を設けることによって、照明器具２の荷重の一部を鍔状突起１０で受けるようになっており、重量の大きい照明器具２でも取り付けることが可能になっている。
【００４６】
（実施形態１）
本実施形態は、図１８乃至図２５に示すように、基本例２における構成に、平板状の差込栓刃を有したＵプラグが接続されるコンセントを付加したものである。基本的な構成は基本例２と同様であるから、基本例２と共通する構成については説明を省略し、以下では主な相違点についてのみ説明する。なお、図中において基本例１及び基本例２と同じ部材には同符号を付してある。
【００４７】
本実施形態における基本例２との主な相違点は、器体１１３の底壁の中央部に平板状の差込栓刃を挿入するための一対のＵプラグの差込栓刃挿入口１８３が開口し、端子金具２０３にもＵプラグの差込栓刃が接続される栓刃受部２１３が形成されている点である。また、器体１１３の底壁中央部に栓刃挿入口１８３が形成されることによって、基本例２に比較すると鎖錠ばね３２を器体１１３の外周側に位置させてあり、仕切壁１６２の寸法が相違するとともに、基本例２とは異なる形状の端子板２０３を収納するために、端子カバー１２２の中央部に上方に突出する端子板収納部１２２ｃを設けている点などに相違がある。
【００４８】
さらに具体的に説明する。端子金具２０３は、互いに対向する一対の端子板２０３ａを備え、各端子板２０３ａにはそれぞれ接続片２０３ｇ、２０３ｈが一体に連続している。一方の接続片２０３ｇは下方に開放されたコ字状に形成され、他方の接続片２０３ｈは逆Ｌ字状に形成され、接続片２０３ｇの一方の脚片と接続片２０３ｈとの下端縁同士は連結片２０３ｃを介して接続されている。各端子板２０３ａは鎖錠ばね３２とで速結端子構造の端子部を構成する。
【００４９】
また、各接続片２０３ｇ，２０３ｈにはそれぞれ刃受ばね２０３ｆが連続し、両刃受ばね２０３ｆによって差込刃受部２１３が形成されている。各刃受ばね２０３ｆは互いに対向して配置され上下の中間部で互いに近付き下端部は下方ほど互いの距離を広げる形状に形成されている。この形状により下端側から導入される差込栓刃を両ばね片２０３ｆ間に導入しやすくし、かつ差込栓刃を挟持する力を大きくとって接触抵抗を小さくするようになっている。
【００５０】
上述した形状の差込刃受部２１３を設けていることによって、端子金具２０３は基本例２の端子金具２０２に比較すると上下方向の高さ寸法が大きくなる。そこで、端子カバー１２２の中央部に端子板収納部１２２ｃを突設することによって、端子金具２０３を器体１１３と端子カバー１２２との間に収納可能としてある。引掛栓刃受部２２３の刃受板２２３ａは端子金具２０３のかしめ片２０３ｄにかしめ鋲を用いて結合されている。その他の構成および動作は基本例２と同様である。
【００５１】
尚本実施形態では照明器具２の荷重を受けるために、器体１１の下端部外周に全周に亘って鍔状突起１０を設けてあるが、係止部としての突起は照明器具２側の係止爪９ａに対応する場所に少なくとも設けてあれば良く、実施形態に特に限定されるものではない。
【００５２】
また上述したように引掛栓刃４１に対応する引掛栓刃受部の刃受板としては、引掛栓刃４１の先部を挟み込むように２枚重ねて設けても良い。
【００５３】
図２５（ａ）（ｂ）は、基本例２、実施形態１に対応する引掛栓刃受部２２２、２２３の刃受板２２２ａ、２２３ａを２枚重ねた構造の例を示しており、これらの引掛栓刃受部２２２、２２３は端子金具２０２、２０３のかしめ片２０２ｄ、２０３ｄにかしめ鋲で結合される。
【００５４】
【発明の効果】
請求項１の発明は、施工面に露設される器体の下端外周部に全周に亘って突出形成した鍔状突起により構成され、照明器具の上面に開口した係合穴に上記器体を挿入したときに上記係合穴内の被係止部と係合して上記照明器具の下向き荷重を受ける係止部を有しているので、照明器具の荷重の一部を器体に設けた係止部で支持することができ、そのためアダプタや取付金具のような別途の部品を用いることなく重量の大きい照明器具を取り付けることが可能になり、施工作業が容易になって施工性がよく、しかも部品点数が少ないからコスト増を抑制することができ、更に、照明器具との機械的結合個所を引掛栓刃以外に設けているから、照明器具と確実に結合されているか否かを確認しやすく、照明器具の落下事故を防止しやすいとともに、引掛栓刃でのみ照明器具の荷重を支持するのではないから、引掛栓刃の経年的な変形を防止することができ、結果的に電気的接続部の信頼性が向上し、更にアダプタを設ける場合に比較すると施工面からの照明器具の突出寸法を小さくすることができ、また直管多灯の照明器具にも対応しやすく、更に照明器具の係合穴に器体を嵌め込むだけで良いので、照明器具の取り付けが容易であり、加えて上記係止部を、器体の下端外周部に全周に亘って突出形成した鍔状突起により構成してあるので、係止部を器体の成形と同時に形成することができ、照明器具との結合時には結合位置が限定されず、取り付け作業が容易となり、また照明器具の被係合部の設計も容易となるという効果があり、しかも施工面側から導入される電源線を接続する少なくとも一対の速結端子、および上記一対の速結端子に電気的に接続され、施工面側から導入される送り配線用電源線を接続する別の一対の速結端子からなる端子部を備えるとともに上記速結端子が、一対の端子板と、各端子板に対向する接触片および鎖錠片を備え接触片および鎖錠片と各端子板との間にそれぞれ電源線を狭持する一対の鎖錠ばねとを備えているので、配線施工が簡単に行えるとともに送り配線が容易に行える。さらに、上記器体内に一対のＵプラグ用栓刃受部を設けるとともに、器体下面に上記Ｕプラグ用栓刃受部に対応するＵプラグの栓刃挿入口を開口してあるので、引掛栓刃を備えていない照明器具であってもＵプラグを用いることで電気的接続が可能になる。その上、上記Ｕプラグ用栓刃受部と、上記引掛栓刃受部の刃受ばねとを一体的に形成してあるので、部品点数の削減とコストダウンが図れる。
請求項２の発明は、請求項１の発明において、前記一対の鎖錠片に当接する一対の押圧片を備えるとともに押されると鎖錠片を端子板から引き離す向きに撓ませる解除釦を備えている。
【００５７】
請求項３の発明は、請求項２の発明において、少なくとも上記端子部の上部には端子カバーが被着され、端子カバーには内部の各速結端子に対応する電線挿入孔を開口するとともに、上記解除釦を押し動かすための治具挿入口を開口してあるので、施工面に露出形として取り付けるようにしながらも施工面との間の絶縁を確保することができる。
【図面の簡単な説明】
【図１】  （ａ）は本発明の基本例１の全体の縮小分解斜視図である。
（ｂ）は同上の全体の縮小斜視図である。
【図２】  同上の端子カバーを外した状態の上面図である。
【図３】  同上の上面図である。
【図４】  同上の図３のＡ−Ａ断面図である。
【図５】  （ａ）同上の縮小下面図である。
（ｂ）同上の縮小側面図である。
（ｃ）同上の縮小正面図である。
【図６】  同上の電源線を接続した状態の縦断面図である。
【図７】  同上の照明器具を結合した状態の縮小縦断面図である。
【図８】  同上の照明器具取り付け状態説明用の縮小分解斜視図である。
【図９】  同上の照明器具取り付けの説明図である。
【図１０】  （ａ）は引掛キャップの一側面図である。
（ｂ）は同上の上面図である。
（ｃ）は同上の他側面図である。
（ｄ）は同上の下面図である。
【図１１】  （ａ）は本発明の基本例２の全体の縮小分解斜視図である。
（ｂ）は同上の全体の縮小斜視図である。
【図１２】  同上の下面図である。
【図１３】  同上の端子カバーを外した状態の上面図である。
【図１４】  同上の上面図である。
【図１５】  同上の図１４のＢ−Ｂ断面図である。
【図１６】  同上の電源線を接続した状態の縦断面図である。
【図１７】  同上の照明器具を結合した状態の縮小縦断面図である。
【図１８】  （ａ）は本発明の実施形態１の全体の縮小分解斜視図である。
（ｂ）は同上の全体の縮小斜視図である。
【図１９】  同上の下面図である。
【図２０】  同上の端子カバーを外した状態の上面図である。
【図２１】  同上の上面図である。
【図２２】  同上の図２１のＣ−Ｃ断面図である。
【図２３】  同上の電源線を接続した状態の縦断面図である。
【図２４】  同上の照明器具を結合した状態の縮小縦断面図である。
【図２５】  （ａ）は基本例２の引掛栓刃受部の別の例の縮小斜視図である。
（ｂ）は実施形態１の引掛栓刃受部の別の例の縮小斜視図である。
【図２６】  従来例の照明器具取り付け状態説明用分解斜視図である。
【図２７】  同上の照明器具取り付け説明図である。
【符号の説明】
１  引掛シーリング
１０  鍔状突起
１１  器体
１２  端子カバー
１９  引掛栓刃挿入口
２０  端子金具
２２  引掛栓刃受部
２２ａ  刃受板
【図１】
0003930651.tif 000002
【図２】
0003930651.tif 000003
【図３】
0003930651.tif 000004
【図４】
0003930651.tif 000005
【図５】
0003930651.tif 000006
【図６】
0003930651.tif 000007
【図７】
0003930651.tif 000008
【図８】
0003930651.tif 000009
【図９】
0003930651.tif 000010
【図１０】
0003930651.tif 000011
【図１１】
0003930651.tif 000012
【図１２】
0003930651.tif 000013
【図１３】
0003930651.tif 000014
【図１４】
0003930651.tif 000015
【図１５】
0003930651.tif 000016
【図１６】
0003930651.tif 000017
【図１７】
0003930651.tif 000018
【図１８】
0003930651.tif 000019
【図１９】
0003930651.tif 000020
【図２０】
0003930651.tif 000021
【図２１】
0003930651.tif 000022
【図２２】
0003930651.tif 000023
【図２３】
0003930651.tif 000024
【図２４】
0003930651.tif 000025
【図２５】
0003930651.tif 000026
【図２６】
0003930651.tif 000027
【図２７】
0003930651.tif 000028